(57)【要約】【課題】データキャリアが取り付けられる物の種類を判別すること。【解決手段】ＲＦＩＤシステムにおいて、各携帯電話３０はそれぞれ、複数のＲＦＩＤ２０がそれぞれ記憶するデータを受信することにより、該各ＲＦＩＤ２０を認識するＲＦＩＤ認識部３２２と、当該携帯電話３０の位置を示す位置情報を取得する位置検出部３２１と、を含み、サーバ装置４０は、各携帯電話３０が認識したＲＦＩＤ２０を示すＲＦＩＤ認識情報を取得するＲＦＩＤ認識情報取得部４１１と、前記位置情報に基づいて算出された各携帯電話３０の移動速度を取得する移動速度取得部４１３と、前記ＲＦＩＤ認識情報と、該ＲＦＩＤ認識情報により示されるＲＦＩＤ２０を認識中の各携帯電話３０の移動速度と、に基づいて該ＲＦＩＤ２０が可搬物に取り付けられているか否かを判定する判定部４１４と、を含む、ことを特徴とする。【選択図】図２
2007179287.tif 000002
【特許請求の範囲】
【請求項１】
携帯通信端末と、サーバ装置と、を含むデータキャリアシステムであって、
前記携帯通信端末は、
複数のデータキャリアがそれぞれ記憶するデータを受信することにより、該各データキャリアを認識するデータキャリア認識手段と、
当該携帯通信端末の位置を示す位置情報を取得する位置情報取得手段と、
を含み、
前記サーバ装置は、
前記携帯通信端末が認識した前記データキャリアを示すデータキャリア認識情報を取得するデータキャリア認識情報取得手段と、
前記位置情報に基づいて算出された前記携帯通信端末の移動速度を取得する移動速度取得手段と、
前記データキャリア認識情報と、該データキャリア認識情報により示されるデータキャリアを認識中の前記携帯通信端末の移動速度と、に基づいて該データキャリアが可搬物に取り付けられているか否かを判定する判定手段と、
を含む、
ことを特徴とするデータキャリアシステム。
【請求項２】
請求項１に記載のデータキャリアシステムにおいて、
前記判定手段は、前記携帯通信端末の移動速度が所定値以上である間に該携帯通信端末により認識されている時間に応じて、前記各データキャリアが可搬物に取り付けられているか否かを判定する、
ことを特徴とするデータキャリアシステム。
【請求項３】
請求項２に記載のデータキャリアシステムにおいて、
前記判定手段は、前記携帯通信端末の移動速度が所定値以上である間に該携帯通信端末により認識されている時間が所定値を上回る前記データキャリアについて、該データキャリアが可搬物に取り付けられていると判定する、
ことを特徴とするデータキャリアシステム。
【請求項４】
請求項２又は３に記載のデータキャリアシステムにおいて、
前記判定手段は、特定の前記データキャリアについて、移動速度が所定値以上である間に該データキャリアを認識している時間が所定値を上回る前記携帯通信端末がない場合、該データキャリアは可搬物に取り付けられていないと判定する、
ことを特徴とするデータキャリアシステム。
【請求項５】
請求項１乃至４のいずれかに記載のデータキャリアシステムにおいて、
前記判定手段は、特定の前記データキャリアについて、該データキャリアを認識している携帯通信端末について前記位置情報取得手段により取得される位置情報により示される位置が、所定の範囲内にあるか否かに応じて、該データキャリアが固定物に取り付けられていないと判定する、
ことを特徴とするデータキャリアシステム。
【請求項６】
携帯通信端末と通信接続されるサーバ装置であって、
前記携帯通信端末が認識したデータキャリアを示すデータキャリア認識情報を取得するデータキャリア認識情報取得手段と、
前記携帯通信端末の位置を示す位置情報に基づいて算出された前記携帯通信端末の移動速度を取得する移動速度取得手段と、
前記データキャリア認識情報と、該データキャリア認識情報により示されるデータキャリアを認識中の前記携帯通信端末の移動速度と、に基づいて該データキャリアが可搬物に取り付けられているか否かを判定する判定手段と、
を含むことを特徴とするサーバ装置。
【発明の詳細な説明】
【技術分野】
【０００１】
本発明はデータキャリアシステム及びサーバ装置に関し、特にデータキャリアが取り付けられる物の種類を判別するための技術に関する。
【背景技術】
【０００２】
近年、一定量のデータを記憶しておき、記憶内容を無線により読み取ることができるよう構成されたデータキャリア（例えば、ＲＦＩＤ(Radio Frequency Identification)）の利用が進んでいる。そのひとつには、データキャリアを、それが取り付けられる物の種類（地面への固定物、カバンや腕時計など人間が持ち運ぶことができる可搬物、車やバスなどの自走物など）により予め分類しておき（例えば特許文献１）、ＲＦＩＤリーダがデータキャリアを認識した（読み取った）とき、そのデータキャリアの分類に応じた処理を行うことにより、ユーザの行動予測を行い、予測に応じた情報をユーザ等に提供するようにしているものがある。
【特許文献１】特開２００４−２０６５９０号公報（図３（ａ））
【発明の開示】
【発明が解決しようとする課題】
【０００３】
ところで、上記従来の技術ではデータキャリアの上記分類を予め記憶しておく必要があるので、データキャリアを取り付ける物を変更する都度記憶している情報を更新する必要がある。しかしながら、街中等に設置された多数のデータキャリアについてこの更新を行うことは現実的ではないという問題があった。
【０００４】
従って、本発明の課題の一つは、データキャリアが取り付けられる物の種類を判別することのできるデータキャリアシステム及びサーバ装置を提供することにある。
【課題を解決するための手段】
【０００５】
上記課題を解決するための本発明に係るデータキャリアシステムは、携帯通信端末と、サーバ装置と、を含むデータキャリアシステムであって、前記携帯通信端末は、複数のデータキャリアがそれぞれ記憶するデータを受信することにより、該各データキャリアを認識するデータキャリア認識手段と、当該携帯通信端末の位置を示す位置情報を取得する位置情報取得手段と、を含み、前記サーバ装置は、前記携帯通信端末が認識した前記データキャリアを示すデータキャリア認識情報を取得するデータキャリア認識情報取得手段と、前記位置情報に基づいて算出された前記携帯通信端末の移動速度を取得する移動速度取得手段と、前記データキャリア認識情報と、該データキャリア認識情報により示されるデータキャリアを認識中の前記携帯通信端末の移動速度と、に基づいて該データキャリアが可搬物に取り付けられているか否かを判定する判定手段と、を含む、ことを特徴とする。
【０００６】
例えばある携帯通信端末が移動しているときも移動していないときも常に認識しているデータキャリアは、該携帯通信端末とともに携帯されている可搬物に取り付けられている可能性が高い。よって、上記データキャリアシステムは、データキャリアが取り付けられる物の種類が可搬物であるか否かを判別することができる。
【０００７】
また、上記データキャリアシステムにおいて、前記判定手段は、前記携帯通信端末の移動速度が所定値以上である間に該携帯通信端末により認識されている時間に応じて、前記各データキャリアが可搬物に取り付けられているか否かを判定する、こととしてもよい。
【０００８】
携帯通信端末が移動しているときにもある程度の時間にわたり認識されているデータキャリアについては、該携帯通信端末とともに携帯されている可搬物に取り付けられている可能性が高い。よって、上記データキャリアシステムは、データキャリアが取り付けられる物の種類が可搬物であるか否かを判別することができる。
【０００９】
また、上記データキャリアシステムにおいて、前記判定手段は、前記携帯通信端末の移動速度が所定値以上である間に該携帯通信端末により認識されている時間が所定値を上回る前記データキャリアについて、該データキャリアが可搬物に取り付けられていると判定する、こととしてもよい。
【００１０】
携帯通信端末がそれぞれ移動している場合、可搬物に取り付けられたデータキャリアは携帯通信端末のうちのいずれかにより常に認識される可能性が高いが、可搬物に取り付けられていないデータキャリアは携帯通信端末のいずれによっても常には認識されない可能性が高い。よって、上記データキャリアシステムは、データキャリアが取り付けられる物の種類が可搬物であることを判別することができる。
【００１１】
また、上記データキャリアシステムにおいて、前記判定手段は、特定の前記データキャリアについて、移動速度が所定値以上である間に該データキャリアを認識している時間が所定値を上回る前記携帯通信端末がない場合、該データキャリアは可搬物に取り付けられていないと判定する、こととしてもよい。
【００１２】
携帯通信端末がそれぞれ移動している場合、可搬物に取り付けられたデータキャリアは携帯通信端末のうちのいずれかにより常に認識される可能性が高いが、可搬物に取り付けられていないデータキャリアは携帯通信端末のいずれによっても常には認識されない可能性が高い。よって、上記データキャリアシステムは、データキャリアが取り付けられる物の種類が可搬物でないことを判別することができる。
【００１３】
また、上記データキャリアシステムにおいて、前記判定手段は、特定の前記データキャリアについて、該データキャリアを認識している携帯通信端末について前記位置情報取得手段により取得される位置情報により示される位置が、所定の範囲内にあるか否かに応じて、該データキャリアが固定物に取り付けられていないと判定する、こととしてもよい。
【００１４】
固定物に取り付けられたデータキャリアは、所定範囲内にある携帯通信端末により認識され、その範囲外にある携帯通信端末によっては認識されないはずである。よって、上記データキャリアシステムは、データキャリアが取り付けられる物の種類が固定物でないことを判別することができる。
【００１５】
また、本発明に係るサーバ装置は、携帯通信端末と通信接続されるサーバ装置であって、前記携帯通信端末が認識したデータキャリアを示すデータキャリア認識情報を取得するデータキャリア認識情報取得手段と、前記携帯通信端末の位置を示す位置情報に基づいて算出された前記携帯通信端末の移動速度を取得する移動速度取得手段と、前記データキャリア認識情報と、該データキャリア認識情報により示されるデータキャリアを認識中の前記携帯通信端末の移動速度と、に基づいて該データキャリアが可搬物に取り付けられているか否かを判定する判定手段と、を含むことを特徴とする。
【発明を実施するための最良の形態】
【００１６】
本発明の実施の形態について、図面を参照しながら説明する。
【００１７】
図１は、本実施の形態に係るＲＦＩＤシステム１０のシステム構成図である。同図に示すように、ＲＦＩＤシステム１０は、複数のＲＦＩＤ２０と、複数の携帯電話３０と、サーバ装置４０と、を含んで構成されている。また、各携帯電話３０はＲＦＩＤリーダ３１を含んで構成されている。
【００１８】
ＲＦＩＤ２０は、データを記憶することのできるデータキャリアとして機能する装置であり、固定物、自走物、又は可搬物に取り付けられる。ここではバス停（固定物）、店（固定物）、自動車（自走物）、鞄（可搬物）、腕時計（可搬物）に取り付けられたものを例示している。また、ＲＦＩＤ２０は、ＲＦＩＤリーダ３１によって読み取られることができるように構成されている。より具体的には、ＲＦＩＤリーダ３１の発する電磁場を、記憶しているデータ（以下、記憶データと称する。）に応じて変調することにより読み取られるように構成してもよい（パッシブ型、セミパッシブ型）し、ＲＦＩＤリーダ３１の発する電波が受信された場合に、記憶データに応じた電波を送信することにより読み取られるように構成してもよい（アクティブ型）。
【００１９】
また、各ＲＦＩＤ２０には複数のＲＦＩＤ２０の中から該ＲＦＩＤ２０を一意に識別可能な識別情報（ＲＦＩＤ識別情報）が付与されており、各ＲＦＩＤ２０は自身に付与されたＲＦＩＤ識別情報を上記記憶データの一部として記憶している。
【００２０】
携帯電話３０は、ＣＰＵとメモリとを備えた携帯通信端末の一種であり、人間が身に付けて持ち歩くものである。携帯電話３０は上述のようにＲＦＩＤリーダ３１を含んでおり、ＲＦＩＤリーダ３１は、複数のＲＦＩＤ２０がそれぞれ記憶するデータを受信することにより、該各ＲＦＩＤ２０を認識する。具体的には、ＲＦＩＤリーダ３１はＲＦＩＤ２０に対して読み取り用信号を送信し、該読み取り用信号に対して返送されるデータ信号を受信する。このデータ信号は上記記憶データを含んでおり、ＲＦＩＤリーダ３１は、該データ信号から上記記憶データを取得している。また、上述のように記憶データには識別情報が含まれており、ＲＦＩＤリーダ３１は、取得した記憶データからこのＲＦＩＤ識別情報を取得することによりＲＦＩＤ２０を認識する。
【００２１】
また、携帯電話３０はＧＰＳ（Global Positioning System，全地球測位システム）による測位機能を備えている。すなわち、ＧＰＳ衛星が送信している信号に基づいて自身の位置を検出し、検出した位置を示す位置情報を取得することができるよう構成される。さらに、携帯電話３０は、移動体通信システムを経由してサーバ装置４０と通信接続されており、サーバ装置４０に対して、位置情報と、ＲＦＩＤリーダ３１が取得したＲＦＩＤ識別情報と、を送信するように構成される。
【００２２】
サーバ装置４０は、ＣＰＵとメモリとを備えたコンピュータであり、移動体通信システムを経由して各携帯電話３０と通信接続される。サーバ装置４０は、各携帯電話３０から送信された位置情報及びＲＦＩＤ識別情報に基づいて、各ＲＦＩＤ２０が可搬物に取り付けられているか否か、また固定物に取り付けられているか否かを判定する。
【００２３】
以下、まず携帯電話３０及びサーバ装置４０の機能の詳細について、これらの機能ブロック図を参照しながら詳細に説明する。
【００２４】
図２は、携帯電話３０及びサーバ装置４０の機能ブロックを示す図である。同図に示すように、携帯電話３０は制御部３２、ＲＦＩＤ通信部３３、ＧＰＳ受信部３４、無線通信部３５を含んで構成されており、制御部３２はさらに位置検出部３２１、ＲＦＩＤ認識部３２２を含んで構成される。ＲＦＩＤ通信部３３及びＲＦＩＤ認識部３２２はＲＦＩＤリーダ３１として機能する。
【００２５】
サーバ装置４０は、制御部４１、無線通信部４２、記憶部４３を含んで構成されており、制御部４１はさらにＲＦＩＤ認識情報取得部４１１、位置情報取得部４１２、移動速度取得部４１３、判定部４１４を含んで構成される。
【００２６】
制御部３２は、携帯電話３０のメモリに記憶されるプログラムに従って動作し、携帯電話３０の各部を制御する。また、制御部３２は上記読み取り用信号を生成し、ＲＦＩＤ通信部３３に対して出力する。
【００２７】
ＲＦＩＤ通信部３３は、制御部３２から入力された読み取り用信号を無線区間に定期的に送出する。すると、これを受信したＲＦＩＤ２０は記憶データを含むデータ信号を返送するので、ＲＦＩＤ通信部３３は各ＲＦＩＤ２０が送信したデータ信号を受信し、ＲＦＩＤ認識部３２２に出力する。
【００２８】
ＲＦＩＤ認識部３２２は、ＲＦＩＤ認識部３２２から入力されたデータ信号により、ＲＦＩＤ２０を認識する。具体的には、データ信号から上記ＲＦＩＤ識別情報を取得することによりＲＦＩＤ２０を認識する。そして、取得したＲＦＩＤ識別情報を逐次無線通信部３５に出力する。
【００２９】
ＧＰＳ受信部３４は、複数のＧＰＳ衛星がそれぞれ送信しているＧＰＳ信号を定期的に受信し、位置検出部３２１に出力する。
【００３０】
位置検出部３２１は、ＧＰＳ受信部３４から入力されたＧＰＳ信号により、当該携帯電話３０の位置を検出する。具体的には、各ＧＰＳ衛星から受信されたＧＰＳ信号の伝達遅延時間を算出し、算出した伝達遅延時間に基づいて各ＧＰＳ衛星とＧＰＳ受信部３４との距離を算出する。そして、この距離に応じて当該携帯電話３０の位置（緯度・経度）を算出し、その結果を位置情報として取得する。位置検出部３２１は、取得した位置情報を逐次無線通信部３５に出力する。
【００３１】
無線通信部３５は、入力されたＲＦＩＤ識別情報と位置情報とをサーバ装置４０に対して逐次送信する。
【００３２】
無線通信部４２は、各携帯電話３０からＲＦＩＤ識別情報と位置情報とを受信し、ＲＦＩＤ識別情報をＲＦＩＤ認識情報取得部４１１に、位置情報を位置情報取得部４１２にそれぞれ出力する。
【００３３】
ＲＦＩＤ認識情報取得部４１１は、無線通信部４２から入力されたＲＦＩＤ識別情報から、各携帯電話３０が認識した１又は複数のＲＦＩＤ２０を示すＲＦＩＤ認識情報を取得し、判定部４１４に出力する。
【００３４】
位置情報取得部４１２は、無線通信部４２から入力された位置情報から、各携帯電話３０の位置を示す位置情報を取得し、移動速度取得部４１３及び判定部４１４に出力する。
【００３５】
移動速度取得部４１３は、位置情報取得部４１２から入力された位置情報に基づいて各携帯電話３０の移動速度を算出し、判定部４１４に出力する。
【００３６】
判定部４１４は、ＲＦＩＤ認識情報取得部４１１から入力された各ＲＦＩＤ認識情報と、該各ＲＦＩＤ認識情報により示されるＲＦＩＤ２０を認識中の各携帯電話３０について、移動速度取得部４１３からそれぞれ入力された移動速度と、に基づいて、各ＲＦＩＤ２０が可搬物に取り付けられているか否か、また固定物に取り付けられているか否かを判定する。
【００３７】
以下、判定部４１４の処理について、具体的に説明する。
【００３８】
まず、ＲＦＩＤ２０が固定物に取り付けられているか否かを判定する処理について説明する。
【００３９】
判定部４１４は、あるＲＦＩＤ２０について、該ＲＦＩＤ２０を認識している携帯電話３０について位置情報取得部４１２から入力された位置情報により示される位置が、所定の範囲内にあるか否かに応じて、該ＲＦＩＤ２０が固定物に取り付けられていないと判定する。この処理を、図面を参照しながら詳細に説明する。
【００４０】
図３は、ＲＦＩＤ２０が固定物に取り付けられていないと判定するための判定部４１４の処理の説明図である。判定部４１４は、あるＲＦＩＤ２０に注目する。そして、ある時点で該注目ＲＦＩＤ２０を認識している１又は複数の携帯電話３０の位置座標（Ｘ，Ｙ）を取得して記憶する。判定部４１４は、記憶した各携帯電話３０の位置座標から、Ｘの最小値（Ｘｍｉｎ）及び最大値（Ｘｍａｘ）、及びＹの最小値（Ｙｍｉｎ）及び最大値（Ｙｍａｘ）を取得し、ＸｍａｘとＸｍｉｎの差Ｘｌｎｇ及びＹｍａｘとＹｍｉｎの差Ｙｌｎｇを算出する。
【００４１】
ここで、ＲＦＩＤ２０の送信するデータ信号の到達距離（想定飛距離）は概ねＬｒ０であるとすると、ＲＦＩＤ２０が地面に固定されたものである場合、該ＲＦＩＤ２０を認識する携帯電話３０の位置範囲は、ＲＦＩＤ２０から概ね半径Ｌｒ０内となるはずである。
【００４２】
そこで、判定部４１４はＲＦＩＤ２０を認識したときの各携帯電話３０の位置により示される範囲が概ね半径Ｌｒ０の円内に収まっていなければ、ＲＦＩＤ２０が固定物に取り付けられていないと判定する。具体的には、計算処理を簡素化するために、Ｘｌｎｇ＞２Ｌｒ０又はＹｌｎｇ＞２Ｌｒ０である場合に、ＲＦＩＤ２０が固定物に取り付けられていないと判定する。
【００４３】
図３では、携帯電話３０−ｎ（ｎ＝１〜１０）が、黒丸で示すＲＦＩＤ２０を検出した位置を白丸で示している。同図に示すように、携帯電話３０−１乃至８がＲＦＩＤ２０を検出した位置だけで見ると、このときの上記差Ｘｌｎｇ１及びＹｌｎｇ１は、「Ｘｌｎｇ＞２Ｌｒ０又はＹｌｎｇ＞２Ｌｒ０」という条件を満たしていない。しかし、携帯電話３０−９及び携帯電話３０−１０がＲＦＩＤ２０を検出した位置も含めると、「Ｘｌｎｇ＞２Ｌｒ０又はＹｌｎｇ＞２Ｌｒ０」という条件が満たされる。よってこの場合には、判定部４１４はＲＦＩＤ２０が固定物に取り付けられていないと判定する。
【００４４】
次に、ＲＦＩＤ２０が可搬物に取り付けられているか否かを判定する処理について説明する。
【００４５】
判定部４１４は、各携帯電話３０の移動速度が所定の閾値速度以上である間に該各携帯電話３０により認識されている時間に応じて、各ＲＦＩＤ２０が可搬物に取り付けられているか否かを判定する。具体的には、判定部４１４は、各携帯電話３０の移動速度が所定の閾値速度以上である間に該各携帯電話３０により認識されている時間が所定値を上回るＲＦＩＤ２０について、該ＲＦＩＤ２０が可搬物に取り付けられていると判定する。逆に、特定のＲＦＩＤ２０について、移動速度が所定の閾値速度以上である間にＲＦＩＤ２０を認識している時間が所定値を上回る携帯電話３０がない場合、該ＲＦＩＤ２０は可搬物に取り付けられていないと判定する。この処理を、図面を参照しながら詳細に説明する。
【００４６】
図４及び図５は、可搬物に取り付けられているＲＦＩＤ２０を決定するための判定部４１４の処理の説明図である。判定部４１４は、まず、移動速度が所定の閾値速度より大きい携帯電話３０を所定の時間間隔で取得し、該携帯電話３０が各期間で認識しているＲＦＩＤ２０を取得し、これらを要素とする集合Ｆを記憶する。
【００４７】
次に、判定部４１４は、あるＲＦＩＤ２０−ｎに注目する。そして、各期間においてＲＦＩＤ２０−ｎを認識していた携帯電話３０の集合Ｇを取得する。そして、所定時間以上にわたりＲＦＩＤ２０−ｎを認識し続けていた携帯電話３０がない場合、判定部４１４はＲＦＩＤ２０−ｎを可搬物に取り付けられているものでないと判定する。具体的には、図５（ａ）に示すように、Ｇの積集合に携帯電話３０がない場合、判定部４１４はＲＦＩＤ２０−ｎ（図４及び図５ではＲＦＩＤ２０−１）を可搬物に取り付けられているものでないと判定する。なおこの場合において、ＲＦＩＤ２０−ｎを認識している携帯電話３０が１つもなかった期間については除外することが望ましい。
【００４８】
さらに、判定部４１４は、上述の処理によりＲＦＩＤ２０−ｎが固定物に取り付けられていないか否かを判定し、固定物に取り付けられていないと判断した場合、このＲＦＩＤ２０−ｎは自走物に取り付けられているものであると判定する。
【００４９】
一方、所定時間以上にわたりＲＦＩＤ２０−ｎを認識し続けていた携帯電話３０がある場合、判定部４１４はＲＦＩＤ２０−ｎが可搬物に取り付けられているものであると推定する。具体的には、図５（ｂ）に示すように、Ｇの積集合に携帯電話３０が１つだけある場合、判定部４１４はＲＦＩＤ２０−ｎ（図４及び図５ではＲＦＩＤ２０−３）を可搬物に取り付けられているものであると推定する。なおこの場合も、ＲＦＩＤ２０−ｎを認識している携帯電話３０が１つもなかった期間については除外することが望ましい。
【００５０】
さらに、判定部４１４は、可搬物に取り付けられていると推定したＲＦＩＤ２０−ｎが含まれる集合Ｆのうち少なくとも１つに、自走物と判定した他のＲＦＩＤ２０が含まれていれば、ＲＦＩＤ２０−ｎは可搬物に取り付けられていると判断する。自走物とともに検出されているということは、外出時に検出されているということを意味するからである。
【００５１】
以上のようにして、判定部４１４は、各ＲＦＩＤ２０が可搬物に取り付けられているか否か、また固定物に取り付けられているか否かを判定する。そしてまた、各ＲＦＩＤ２０が自走物に取り付けられているか否かを判定する。そして、その結果を記憶部４３に記憶する。
【００５２】
図６は、判定部４１４により記憶部４３に記憶されるＲＦＩＤ分類テーブルの例である。同図に示すように、記憶部４３はＲＦＩＤ識別情報ごとに、固定物に取り付けられたもの、自走物に取り付けられたもの、可搬物に取り付けられたもの、の分類を示す可搬情報を記憶する。
【００５３】
以上説明したように、ＲＦＩＤシステム１０は、ＲＦＩＤ２０が取り付けられる物の種類が可搬物であるか否かを判別することができる。また、固定物であるか否かや自走物であるか否かについても判別することができる。
【００５４】
さらに、サーバ装置４０は、例えばコンテンツデータベースに可搬情報の内容と配信情報とを対応付けて記憶しておくようにすることができる。こうすれば、サーバ装置４０は、携帯電話３０からＲＦＩＤ識別情報を受信したときに、そのＲＦＩＤ識別情報に対応付けてＲＦＩＤ分類テーブルに記憶される可搬情報を読み出し、コンテンツデータベースから、該読み出した可搬情報と対応付けて記憶される配信情報を読み出して携帯電話３０に返信するようにすることができる。すなわち、サーバ装置４０は、可搬情報に応じた情報配信を行うことができる。
【００５５】
なお、本発明は上記実施の形態に限定されるものではない。例えば、上記実施の形態では携帯電話３０は逐次ＲＦＩＤ識別情報及び位置情報をサーバ装置４０に対して送信していたが、一定時間分をまとめて送信するようにしてもよいし、携帯電話３０のユーザの指示があった場合に送信するようにしてもよい。この場合、これら送信する各情報にタイムスタンプを設け、サーバ装置４０はタイムスタンプに基づいて、ＲＦＩＤ識別情報と位置情報との対応付けを行うようにすることが好適である。
【図面の簡単な説明】
【００５６】
【図１】本発明の実施の形態に係るＲＦＩＤシステムのシステム構成図である。
【図２】本発明の実施の形態に係る携帯電話及びサーバ装置の機能ブロック図である。
【図３】本発明の実施の形態に係るＲＦＩＤが固定物に取り付けられていないと判定するための処理の説明図である。
【図４】本発明の実施の形態に係る可搬物に取り付けられているＲＦＩＤを決定するための処理の説明図である。
【図５】本発明の実施の形態に係る可搬物に取り付けられているＲＦＩＤを決定するための処理の説明図である。
【図６】本発明の実施の形態に係るＲＦＩＤ分類テーブルを示す図である。
【符号の説明】
【００５７】
１０  ＲＦＩＤシステム、２０  ＲＦＩＤ、３０  携帯電話、３１  ＲＦＩＤリーダ、３２  制御部、３３  ＲＦＩＤ通信部、３４  ＧＰＳ受信部、３５  無線通信部、４０  サーバ装置、４１  制御部、４２  無線通信部、４３  記憶部、３２１  位置検出部、３２２  ＲＦＩＤ認識部、４１１  ＲＦＩＤ認識情報取得部、４１２  位置情報取得部、４１３  移動速度取得部、４１４  判定部。
【図１】
2007179287.tif 000003
【図２】
2007179287.tif 000004
【図３】
2007179287.tif 000005
【図４】
2007179287.tif 000006
【図５】
2007179287.tif 000007
【図６】
2007179287.tif 000008